(57)【特許請求の範囲】
【請求項１】
中空二重管の固着端側を曲げダイスと固定用ダイスで拘束し、曲げダイスと固定用ダイスの後方で、中空二重管の中間をシューと押圧ダイスで摺動可能に保持し、中空二重管の開口端側から、内部芯金を内管に、管状芯金を内管と外管の間隙に挿入し、曲げダイスを曲げ方向に回動することにより中空二重管を曲げる装置において、内管と外管の開口端面に共通に当たる押え部材と、中空二重管の開口端側で外管の周面に固定したチャックとを備え、上記押え部材をその中心部に挿通した内部芯金に沿って進退自在に構成すると共に、管状芯金の母線方向に沿って形成した案内長穴を通して上記押え部材を上記チャックに結合し、上記管状芯金を内部芯金に対し回動可能に構成したことを特徴とする中空二重管の曲げ加工装置。
【発明の詳細な説明】
【０００１】
【発明の属する技術分野】
本発明は、自動車、オートバイ等の内燃機関に接続する排気管に使用する管、特に内管と外管とから成り、その内管と外管の間に空隙を有する、いわゆる中空二重管を、内燃機関および車体に合った経路形状に曲げるための加工装置に関する。
【０００２】
【従来の技術】
中空二重管の曲げ加工方法として、二重にはめた管の間に空隙を保って一端を互いに固着した中空二重管の固着端側を曲げダイスに拘束し、他端から内管に内部芯金を、内管と外管の間隙に管状芯金を挿入し、押圧ダイスで中空二重管を保持しながら曲げダイスを回転させることによって曲げるに際し、内管と外管の開口端面に押え部材を共通に当てながら曲げることによって内外両管の変形、特に外管に対する内管の長さ方向のずれを阻止することが知られている（特公昭５５−２４９７１号公報参照）。
【０００３】
【発明が解決しようとする課題】
上記の曲げ加工を実施する装置は、内外両管の端面を押える部材を押圧ダイスの後端に固着し、曲げダイスの回転に連動して押圧ダイスも前進させる構成である。その曲げダイスと押圧ダイスの連動はラックとピニオンで行っている。したがって、装置が複雑であると同時に作動の円滑さに欠ける。また、ひねり、すなわち三次元連続曲げ加工は不可能である。二次元の連続曲げはできないことはないが、曲げの都度、面倒な段取りを実施する必要がある。本発明は上記の問題点に鑑み、二次元、三次元の連続曲げ加工を容易に実施できる構造簡単な中空二重管の曲げ加工装置を提供するものである。
【０００４】
【課題を解決するための手段】
本発明は上記の目的を達成するために以下の構成としたものである。即ち、中空二重管の固着端側を曲げダイスと固定用ダイスで拘束し、曲げダイスと固定用ダイスの後方で、中空二重管の中間をシューと押圧ダイスで摺動可能に保持し、中空二重管の開口端側から、内部芯金を内管に、管状芯金を内管と外管の間隙に挿入し、曲げダイスを曲げ方向に回動することにより中空二重管を曲げる装置において、内管と外管の開口端面に共通に当たる押え部材と、中空二重管の開口端側で外管の周面に固定したチャックとを備え、上記押え部材をその中心部に挿通した内部芯金に沿って進退自在に構成すると共に、管状芯金の母線方向に沿って形成した案内長穴を通して上記押え部材を上記チャックに結合し、上記管状芯金を内部芯金に対し回動可能に構成したことを特徴とする。
【０００５】
【発明の実施の形態】
本発明に係る中空二重管の曲げ加工装置を図面を参照して説明する。図１において１は曲げダイス、２は曲げダイス１に対する固定用ダイス、３は曲げダイス１の後方で該ダイス１に接しているシュー、４はシュー３に対する押圧ダイス、５は中空二重管Ｐの内管Ｐ１に挿入する内部芯金、６は中空二重管Ｐの内管Ｐ１と外管Ｐ２の間隙に挿入する管状芯金である。内部芯金５と管状芯金６は同軸状に片持ち支持され、内部芯金５の先端はダックビル形をしている。この内部芯金５の先端形状には種々のものがある。曲げダイス１と固定用ダイス２で中空二重管Ｐの固着端Ｆ側を拘束し、シュー３と押圧ダイス４で中空二重管Ｐの中間を摺動可能に保持し、中空二重管Ｐに内部芯金５および管状芯金６を挿入して曲げダイス１を所要の角度回すことにより中空二重管Ｐを曲げることができる。以上の構造、操作は従来の中空二重管曲げ加工装置と同様である。
【０００６】
以下説明する構造が本発明装置の特徴である。すなわち、内部芯金５は軸心の周りに回動しないが、管状芯金６は内部芯金５を心にして回動できるように支持されている。したがって、管状芯金６の先端面は軸心と垂直である。
【０００７】
芯金５・６を挿入した中空二重管Ｐの開口端側で外管Ｐ２の周面に固定する二つ割りチャック７と、内管Ｐ１と外管Ｐ２の開口端面に共通に当てる押え部材８とを備えている。上記二つ割りチャック７は、図１（Ｃ）に示すように、外管Ｐ２の周面にあてがった後、一対のボルト９で緊締固着する構成である。
【０００８】
上記押え部材８の中心部に内部芯金５が通っていて、押え部材８は内部芯金５に沿って進退自在である。また、押え部材８の両端部は、管状芯金６の母線方向に沿って形成した一対の案内長穴１０・１０を通して管状芯金６の周面に突き出ている。案内長穴１０から突き出た押え部材８の両端部は、チャック７に開いている一対の穴１１にそれぞれはまっている。
【０００９】
図１のように、原位置にある曲げダイス１と固定用ダイス２、シュー３と押圧ダイス４に中空二重管Ｐの開口端側を把握させ、その中空二重管Ｐに内外の芯金５・６を挿入すると、押え部材８が内管Ｐ１と外管Ｐ２の開口端面に同時に当たる。この状態でチャック７を緊締することにより押え部材８がチャック７を介して外管Ｐ２に固定され、押え部材８の内管Ｐ１と外管Ｐ２の開口端面に対する当接状態が維持される。
【００１０】
図１の状態から曲げダイス１を所定の曲げ方向（矢印参照）に回すもので、図２のように中空二重管Ｐの後端、すなわち、開口端側の端面を押え部材８で押さえて、曲げに伴う内管Ｐ１のずれを抑止しながら、中空二重管Ｐは曲げダイス１の方に引きずられて曲げ加工が行われる。
【００１１】
次に図３のように、固定用ダイス２および押圧ダイス４による中空二重管Ｐの拘束を解いて中空二重管Ｐを次の曲げ位置まで移動させ、中空二重管Ｐを矢示のように所定のひねり角度だけ回す。
【００１２】
次いで図４のように曲げダイス１を原位置に戻し、固定用ダイス２および押圧ダイス４を緊締して中空二重管Ｐをひねった状態に拘束する。１２はひねり角度を規制するストッパーである。
【００１３】
更に、上記図４の状態から曲げダイス１を所定の曲げ方向（矢印参照）に回すもので、中空二重管Ｐは図５のように、内管Ｐ１のずれを抑止された状態で二番目の曲げ加工が行われる。この二番目の曲げ位置と最初の曲げ位置の湾曲面は食い違っている。すなわち、三次元の連続曲げ加工が行われる。
【００１４】
以上は三次元の連続曲げ加工について説明したが、二次元の連続曲げ加工を行う場合は、図３の状態から、中空二重管Ｐをひねることなしに図４・図５に示す次の曲げ加工に移るものである。
【００１５】
【発明の効果】
本発明に係る中空二重管の曲げ加工装置は、中空二重管の固着端側を曲げダイスと固定用ダイスで拘束し、曲げダイスと固定用ダイスの後方で、中空二重管の中間をシューと押圧ダイスで摺動可能に保持し、中空二重管の開口端側から、内部芯金を内管に、管状芯金を内管と外管の間隙に挿入し、曲げダイスを曲げ方向に回動することにより中空二重管を曲げる装置において、内管と外管の開口端面に共通に当たる押え部材と、中空二重管の開口端側で外管の周面に固定したチャックとを備え、上記押え部材をその中心部に挿通した内部芯金に沿って進退自在に構成すると共に、管状芯金の母線方向に沿って形成した案内長穴を通して上記押え部材を上記チャックに結合し、上記管状芯金を内部芯金に対し回動可能に構成したものであるから、曲げ加工の際の外管に対する内管のずれ抑止のために装着する押え部材は、外管に固定するだけで、押え部材を機能させるための他からの押し込み力、あるいは引っ張り力を全く必要としない。したがって、内管のずれ抑止機構を具えた中空二重管の曲げ加工装置の構成が簡素化される。
【００１６】
また、１本の中空二重管について曲げ加工するに当たり、内管のずれ抑止押え部材は、最初に外管にセットすれば、その後、曲げ加工位置ごとに押え部材をセットし直す必要がなくて、途中にひねりの有る無しにかかわらず連続曲げ加工ができるもので加工能率が向上する効果がある。
【図面の簡単な説明】
【図１】（Ａ）本発明に係る曲げ加工装置の加工開始前の縦断正面図。（Ｂ）図１（Ａ）の左側面図。（Ｃ）図１（Ａ）のｃ−ｃ線縦断側面図。
【図２】（Ａ）曲げ加工を行った状態の縦断正面図。（Ｂ）図２（Ａ）の左側面図。
【図３】（Ａ）中空二重管を次の曲げ位置に移動させた状態の縦断正面図。（Ｂ）図３（Ａ）の左側面図。
【図４】（Ａ）中空二重管をひねって次の曲げ加工を行う前の一部縦断正面図。（Ｂ）図４（Ａ）の左側面図。
【図５】（Ａ）二番目の曲げ加工を行った状態の一部縦断正面図。（Ｂ）図５（Ａ）の左側面図。
【符号の説明】
１  曲げダイス
２  固定用ダイス
３  シュー
４  押圧ダイス
５  内部芯金
６  管状芯金
７  チャック
８  押え部材
９  ボルト
１０  案内長穴
１１  押え部材挿入穴
【図１】
0003676871.tif 000002
【図２】
0003676871.tif 000003
【図３】
0003676871.tif 000004
【図４】
0003676871.tif 000005
【図５】
0003676871.tif 000006